(57)【要約】【課題】面格子とこの面格子を建物側に取付けるブラケットの結合部分が破壊されると、これを電気的に検出して警報を発し、外部から侵入する犯罪を未然に防止することができる安全性の高い防犯面格子を提供する。【解決手段】面格子１の枠部材の内部で、この面格子１を建物側に取付けるブラケット４と枠部材２の結合部分の位置に、ブラケット４と枠部材２の結合が解かれるとこれを検出するスイッチ７を設け、同じく枠部材の内部に、前記スイッチ７と電気的に接続した電源８及び発音器９を設け、前記ブラケット４と枠部材２の結合が解かれてスイッチ７がこれを検出すると発音器９が発音する。【選択図】図３
2007051456.tif 000002
【特許請求の範囲】
【請求項１】
ブラケットを用いて建物側に固定する面格子において、面格子を形成する中空材の内部でブラケットとの結合部分の位置に、面格子を形成する中空材とブラケットの結合が解かれるとこれを検出するスイッチを設け、前記スイッチと電気的に接続した電源及び発音器を面格子の適所に設け、前記中空材とブラケットの結合が解かれてスイッチがこれを検出すると発音器が発音するようにしたことを特徴とする防犯面格子。
【請求項２】
上記中空材の内部に設けたスイッチが、常時接点が閉でブラケットに端子を当接させることによって接点が開となり、このスイッチを電源及び発音器と電気的に接続し、前記中空材とブラケットの結合が解かれてスイッチの接点が閉になると発音器が通電によって発音するようにしたことを特徴とする請求項１に記載の防犯面格子。
【請求項３】
上記面格子が、中空材を用いて形成された枠部材の内側に、一定間隔の配置で棧材を設けた枠形の面格子であり、前記枠部材は中空材を用いた上枠材と下枠材及び両側の側枠材で枠状に組み立てられ、この枠部材の両側に位置する側枠材と上記ブラケットが結合され、前記側枠材の内部に上記スイッチが組み込まれていることを特徴とする請求項１又は２に記載の防犯面格子。
【請求項４】
上記スイッチと電源及び発音器を面格子の枠部材を形成する中空材の内部に配置したことを特徴とする請求項１乃至３の何れかに記載の防犯面格子。
【請求項５】
上記電源及び発音器の何れか一方又は両方を面格子の外部に配置したことを特徴とする請求項１乃至３の何れかに記載の防犯面格子。
【発明の詳細な説明】
【技術分野】
【０００１】
この発明は、建物における窓等の開口部分の室外側にブラケットを用いて取り付け、外部からの侵入を防ぐために用いる面格子、更に詳しくは、面格子とブラケットの結合部分を破壊して侵入しようとした場合に、これを検知して警報を発することにより外部からの侵入を確実に防止することができるようにした防犯面格子に関する。
【背景技術】
【０００２】
建物における窓等の開口部分には、外部からの侵入を防ぐために、室外側に固定式の面格子を取り付けることが行われており、このような面格子は、外部からの侵入を困難にすることで防犯のために大きく貢献している。
【０００３】
上記固定式の面格子としては、周枠内に棧材を縦、横、斜め等に配置した枠形の面格子と、複数本の縦棧と横棧の組み合わせからなる棧形の面格子があり、一般的にこのような面格子は、アルミ型材等の中空材を用いて組み立てられている。
【０００４】
従来、上記のような面格子の防犯機能を向上させる方法として、面格子の上部適当な位置に人体感知センサを取り付け、面格子に対して人が接近すると、これを感知して開錠を阻止するようにしたものが提案されている（例えば、特許文献１参照）。
【特許文献１】特開２００２−１８０７２７号公報
【発明の開示】
【発明が解決しようとする課題】
【０００５】
しかし、上記のような人体感知センサによる人の接近を感知する方法は、感知の範囲に制限があり、感知範囲外の部分で面格子の取り外しや破壊が行われる危険性があり、また、外部から人体感知センサが作動しないように処理することも技術的に可能となるので、安全性の面で十分なものとはいえない。
【０００６】
ところで、上記枠形の面格子や棧形の面格子において、この面格子を破壊して室内に侵入しようとする場合、室外側に位置する面格子とこれを建物側に固定するブラケットのビスによる結合部分を破壊し、面格子を建物側から取外す方法が最も簡単であり、実際にこのような方法での室内への侵入犯罪が増加している。
【０００７】
具体的には、面格子を形成する中空材とブラケットのビスによる結合部分に、ドライバー等を差し込んでこの結合部分を破壊し、ブラケットから面格子を取外すことで人が通れる条件をつくり、この後、窓等のガラスを割って開放することにより、室内に侵入するものであり、このような荒手の犯罪により、面格子を取り付けていても安心することができない事態になっている。
【０００８】
そこで、この発明の課題は、面格子とこれを建物側に固定するブラケットの両者の結合部分が破壊されると、これをスイッチで電気的に検出して警報を発し、外部から侵入する犯罪を未然に防止することができる安全性の高い防犯面格子を提供することにある。
【課題を解決するための手段】
【０００９】
上記のような課題を解決するため、この発明は、ブラケットを用いて建物側に固定する面格子において、面格子を形成する中空材の内部でブラケットとの結合部分の位置に、面格子を形成する中空材とブラケットの結合が解かれるとこれを検出するスイッチを設け、前記スイッチと電気的に接続した電源及び発音器を面格子の適所に設け、前記中空材とブラケットの結合が解かれてスイッチがこれを検出すると発音器が発音するようにした構成を採用したものである。
【００１０】
上記中空材の内部に設けたスイッチが、常時閉でブラケットに端子を当接させることによって開となり、このスイッチを電源及び発音器と電気的に接続し、前記中空材とブラケットの結合が解かれてスイッチが閉になると発音器が通電によって発音するようにすることができる。
【００１１】
また、上記面格子が、中空材を用いて形成された枠部材の内側に、一定間隔の配置で棧材を設けた枠形の面格子であり、前記枠部材は中空材を用いた上枠材と下枠材及び両側の側枠材で枠状に組み立てられ、この枠部材の両側に位置する側枠材と上記ブラケットが結合され、前記側枠材の内部に上記スイッチが組み込まれているようにすることができる。
【００１２】
更に、上記スイッチと電源及び発音器を面格子の枠部材を形成する中空材の内部に配置したり、上記電源及び発音器の何れか一方又は両方を面格子の外部に配置するようにしてもよい。
【００１３】
ここで、面格子のブラケットを用いたサッシ等の建物側への固定は、面格子の枠部材における両側の側枠材でその上下の位置が一般的であり、従って、面格子の枠部材における側枠材に用いた中空材の内部で、ブラケットとビスで結合する合計４箇所の位置に、スイッチをそれぞれ配置し、電源や発音器をこの中空材内に配置する場合は、配線基板にスイッチと電源、発音器を取付けて接続し、この配線基板を中空材内に組み込むことにより、スイッチの端子がブラケットに当接するように配置する。
【００１４】
また、電源と発音器の何れか一方又は両方をボックス内に収納し、このボックスを面格子の適所にガードプレートで覆うことで室外側から手で触れることができないように配置し、この電源と発音器を上記スイッチと中空材内に収めたコードで接続するようにしてもよい。
【００１５】
上記のようなスイッチの配置により、面格子とブラケットの結合部分が破壊されると、スイッチが閉となって電源から発音器に電流が流れ、警報を発することで外部から侵入する犯罪を未然に防止する。
【発明の効果】
【００１６】
この発明によると、面格子とこれを建物側に固定するブラケットの結合部分で、面格子を形成する中空材の内部にスイッチを設け、このスイッチに電源及び発音器を接続したので、面格子とブラケットの結合部分が破壊されるとスイッチがこれを検出し、発音器が発音することになり、この発音で侵入せんとするものが逃げ出すか、家人や近隣の人に侵入を知らせることにより、外部から侵入する犯罪を未然に防止することができ、安全性の優れた防犯面格子となる。
【００１７】
また、スイッチや電源及び発音器は、面格子を形成する中空材の内部に収納するようにすれば、面格子の外部からその存在が全く分からず、面格子の意匠や美観を損なわないと同時に、外部からスイッチや電源及び発音器等を作動しないように事前に処理することが困難になり、防犯面格子による安全性の確保が確実に行える。
【００１８】
更に、電源と発音器の何れか一方又は両方を面格子に対して外付けにすれば、大きさ及び取付けのためのスペース的な制約がなくなり、電源と発音器の選択肢が広がることになる。
【発明を実施するための最良の形態】
【００１９】
以下、この発明の実施の形態を図示例と共に説明する。
【００２０】
図１乃至図４は、防犯面格子の第１の実施の形態を示し、その面格子１は、枠部材２の内側に多数本の縦棧３を一定間隔の配置で固定した枠形の面格子であり、前記枠部材２は、図３と図４に示すような断面形状のアルミ製中空材を用いた上枠材２ａと下枠材２ｂ及び両側の側枠材２ｃを横長の枠状に結合して形成され、縦棧３はアルミ製角パイプ等を用い、上下両端を上枠材２ａと下枠材２ｂの対向面に設けた孔に嵌め込んで固定化することによって取付けられている。
【００２１】
上記面格子１の建物側への取付けは、面格子１の枠部材２における両側の側枠材２ｃでその上下の位置を、ブラケット４を用いて窓用サッシ５や建物躯体に固定することによって行われる。
【００２２】
上記ブラケット４は、図３と図４のように、金属板を用い、窓用サッシ５や建物躯体への取付け部４ａと、フラットな板状となる面格子１の取付け部４ｂが折り曲げ加工された構造を有し、面格子１の側枠材２ｃと取付け部４ｂは、図示省略したが、室内側に向く面からねじ込むビスの締結によって固定化される。
【００２３】
また、窓用サッシ５や建物躯体への取付け部４ａは、窓用サッシ５や建物躯体の形状や構造に応じて異なり、図４（ａ）と(ｂ)の取付け部４ａは、窓用サッシ５の室外側のフランジ５ａに嵌め込む屈曲部６を設けた構造となり、図４（ｃ）の取付け部４ａは、面格子１の取付け部４ｂと反対方向に折り曲げた板によって形成し、図４（ｄ）の取付け部４ａは、面格子１の取付け部４ｂと直角に折り曲げた板によって形成されている例を示している。
【００２４】
上記面格子１の枠部材２における側枠材２ｃを形成する中空材の内部で、この中空材とブラケット４の結合部分の位置に、スイッチ７と、電池を用いた電源８と、ブザーを用いた発音器９及び、これらを電気的に接続する配線基板１０が組み込み配置され、配線基板１０に取付けたスイッチ７の端子７ａが中空材に設けた小孔から、この中空材と結合したブラケット４に当接するように配置されている。
【００２５】
図２は、配線基板１０を用いた回路図であり、スイッチ７と電源８を直列に接続し、スイッチ７と電源８に、一対のコネクター１１と発音器基板１２を介して発音器９を接続し、更に、電源８と発音器９の間に発音器９の発音確認を行うための電源テスト用のスイッチ１３が接続されている。
【００２６】
前記中空材とブラケット４の結合が解かれると、スイッチ７の端子７ａは押し込みから開放されて接点が閉じ、これによって中空材とブラケット４の結合が解かれたのを検出することになり、接点が閉じると電源８から流れた電流で発音器９が発音することになる。
【００２７】
図５乃至図７は、枠形の面格子１の他の実施の形態を示し、図５の面格子１は、枠部材２の内側に多数本の横棧３ａを一定間隔の配置で固定し、図６の面格子１は、枠部材２の内側に多数本の傾斜棧３ｂを一定間隔の配置で交差するように固定し、図７の面格子は、枠部材２の内側に多数本の縦棧３と横棧３ａを一定間隔の配置で交差するように固定したものである。
【００２８】
これら、各面格子１において、窓用サッシ５や建物躯体に対する取付けは、上記第１の実施の形態と同様、枠部材２における両側の側枠材２ｃの上下位置をブラケット４で窓用サッシ５や建物躯体に固定することになり、側枠材２ｃとなる中空材の内部でブラケット４との結合位置に、スイッチ７と、電源８と、発音器９及び、これらを電気的に接続する配線基板１０が組み込み配置されている。
【００２９】
このように、枠部材２における中空材の内部に、スイッチ７と電源８、発音器９、配線基板１０を組み込み配置した場合、中空材の室内側に向く面の配線基板１０等と対応する位置に扉式の開閉部を設け、電源８の交換と、電源交換後の発音テストが容易に行うことができるようにしておく。
【００３０】
図８乃至図１０の実施の形態は、面格子１に対して電源８と発音器９の何れか一方又は両方を、面格子１の外部に取付ける例を示し、スイッチ７と配線基板１０は中空材の内部に収納し、外部に配置せんとする電源８と発音器９の何れか一方又は両方をボックス１４内に収め、スイッチ７と外部に配置したボックス１４内の電源８及び又は発音器９は、中空材の内部に納めたリード線で接続すればよい。
【００３１】
上記面格子１のボックス１４を取付けた部分において、側枠材２ｃと隣接する縦材３の間の室外側に、金属板や樹脂板、硬質ガラス板等のガードプレート１５を張設し、ボックス１４をガードプレート１５で覆うことで室外側から見えないようにしたり手で触れることができないようにし、ボックス１４が破壊されたり取外されることのないようにしている。
【００３２】
また、面格子は、縦棧と横棧の組み合わせからなる棧形の面格子であってもよく、例えば、横棧の内部で面格子を建物側に取付けるブラケットとの結合部分に、上記したスイッチ７と電源８、発音器９、配線基板１０を組み込み、もしくは、スイッチ７を横棧の内部に組込み、電源８と発音器９の何れか一方もしくは両方を外部に配置する。
【００３３】
なお、各実施の形態において、面格子１の適当な位置に、電池が寿命になると、これを知らせるための電源切れの表示ランプを設けるようにすることができる。
【００３４】
この発明の防犯面格子は、上記のような構成であり、図４（ａ）と図１０のように、面格子１を建物の開口部における室外側にブラケット４を用いて取り付け、開口部からの侵入を阻止して防犯を担うものである。
【００３５】
建物の開口部における室外側に面格子１を取付けた通常の状態で、枠部材２と各ブラケット４の結合部分に配置したスイッチ７は、図４（ａ）のごとく端子７ａがブラケット４に当接することによって、図２に示した発音器９に対する電源回路は開状態となり、発音器９への通電がオフとなっている。このように、スイッチ７にノーマリークローズのものを用いると、通常の状態で電源８の消費はなく、電源８の長寿命化が図れる。
【００３６】
上記の状態で面格子１の枠部材２と各ブラケット４の結合部分を工具で破壊し、面格子１を取り外して窓から侵入しようとすると、ブラケット４から枠部材２が外されることにより、取外された枠部材２内のスイッチ７は、ブラケット４に当接して押し込まれていた端子７ａが押し込みを解かれることになり、このため、スイッチ７の接点は自動的に閉状態となる。
【００３７】
開状態にあるスイッチ７の接点が閉状態になると、図２の回路図に示すように、発音器９に対する電源８からの通電がオンとなって発音器９が発音することになり、この発音で侵入せんとするものが逃げ出すか、家人や近隣の人に侵入を知らせることにより、面格子１の枠部材２と各ブラケット４の結合部分を破壊して外部から侵入する犯罪を未然に防止することができ、安全性の高い防犯面格子となる。
【００３８】
なお、発音器９の発音を止めるには、中空材に設けた扉式の開閉部を開き、配線基板１０に設けた一対のコネクター１１を抜けばよい。
【図面の簡単な説明】
【００３９】
【図１】この発明に係る防犯面格子の第１の実施の形態を示す正面図
【図２】スイッチと電源及び発音器の接続回路を示す回路図
【図３】（ａ）はこの発明に係る防犯面格子の窓への取り付け状態を示す図１の矢印IIIａ−IIIａに沿う縦断側面図、（ｂ）は枠部材とブラケットの結合が解かれた状態を示す側面図
【図４】（ａ）はこの発明に係る防犯面格子の窓への取り付け状態を示す図１の矢印IVａ−IVａに沿う横断平面図、（ｂ）乃至（ｄ）の各々はブラケットの異なった構造の例を、枠部材とブラケットの結合が解かれた状態で示す横断平面図
【図５】この発明に係る防犯面格子の横棧タイプの枠形面格子を示す正面図
【図６】この発明に係る防犯面格子の傾斜棧タイプの枠形面格子を示す正面図
【図７】この発明に係る防犯面格子の縦棧と横棧が交差するタイプの枠形面格子を示す正面図
【図８】この発明に係る防犯面格子の電源と発音器を外部に配置した実施形態の正面図
【図９】（ａ）は図８の防犯面格子の窓への取り付け状態を示す図８の矢印IXａ−IXａに沿う縦断側面図、（ｂ）は枠部材とブラケットの結合が解かれた状態を示す側面図
【図１０】図８の防犯面格子の窓への取り付け状態を示す図８の矢印Ｘ−Ｘに沿う横断平面図
【符号の説明】
【００４０】
１        面格子
２        枠部材
３        縦棧
４        ブラケット
５        窓用サッシ
６        屈曲部
７        スイッチ
８        電源
９        発音器
１０      配線基板
１１      コネクター
１２      発音器基板
１３      電源テスト用のスイッチ
１４      ボックス
【図１】
2007051456.tif 000003
【図２】
2007051456.tif 000004
【図３】
2007051456.tif 000005
【図４】
2007051456.tif 000006
【図５】
2007051456.tif 000007
【図６】
2007051456.tif 000008
【図７】
2007051456.tif 000009
【図８】
2007051456.tif 000010
【図９】
2007051456.tif 000011
【図１０】
2007051456.tif 000012